(57)【特許請求の範囲】
【請求項１】
互いに相対運動する関係とされた第１の部材と第２の部材との間の相対運動を歯の噛み合いにより規制した状態にして保持することのできるロック装置であって、
前記第１の部材に対して特定の直線方向に進退運動可能となるようにガイドされて設けられたポールと、
該ポールを前記第１の部材に対して進行方向に押し動かす押カムと、
該押カムにより進行方向に押し動かされた前記ポールの係合歯と噛合する前記第２の部材に形成された被係合歯と、を有し、
前記ポールは前記第１の部材に形成された立壁状のガイド壁によりその進退移動方向に対する両サイド部が当てがわれてガイドされており、該ポールは前記押カムによって進行方向に押し動かされた際に互いに相反するサイド方向に押し離されてそれぞれのサイド方向に位置する前記ガイド壁に押し当てられるように互いに斜め当接する二つの分割ポールに分割されて構成されており、前記ポールを前記二つの分割ポールに分割する分割線は前記二つの分割ポールを互いに斜め当接させるようにこれらを前記ポールの進行移動方向に対して斜めに面当接させる傾斜面と当該傾斜面よりも前記二つの分割ポールを前記ポールの進行移動方向に対して垂直な方向に面当接させる垂直面とをそれぞれ形成するように設定されており、
前記垂直面は、前記被係合歯と噛合する前記二つの分割ポールの一方が前記第２の部材と一体的となって他方に向けてサイド方向に動かされる力がかけられた際に、前記一方の垂直面が前記他方の垂直面をサイド方向に押圧するようになっていることを特徴とするロック装置。
【請求項２】
請求項１に記載のロック装置であって、
前記ポールを前記二つの分割ポールに分割する分割線が前記ポールの進行方向の先端側となる外周面をサイド方向に分断する縦割り状に設定されていることを特徴とするロック装置。
【発明の詳細な説明】
【技術分野】
【０００１】
本発明は、ロック装置に関する。詳しくは、互いに相対運動する関係とされた第１の部材と第２の部材との間の相対運動を歯の噛み合いにより規制した状態にして保持することのできるロック装置に関する。
【背景技術】
【０００２】
従来、車両用シートにおいて、シートバックがリクライニング装置（ロック装置）を介してシートクッションと連結されており、その背凭れ角度の調整操作が行えるようになっているものが知られている。ここで、下記特許文献１には、上記したリクライニング装置の具体的構成の一例が開示されている。この開示では、リクライニング装置は、シートバックの骨格フレームに一体的に形成された歯車と、シートクッションの骨格フレームに対して直線方向に進退運動可能に設けられたポールとを備え、ポールの歯面が歯車の歯面と噛合することでシートバックの背凭れ角度が固定される構成となっている。【０００３】
詳しくは、上記したポールは、その両側部がシートクッションの骨格フレームに形成された立壁状のガイド壁によりガイドされており、上記した進退方向にスライド移動可能に支えられた状態とされている。このポールと両ガイド壁との間には、ポールのスライド性を担保するための僅かな隙間が設定されており、この隙間によって、ポールが両ガイド壁の間でガタ付けるようになっている。そして、このガタ付きによって、ポールと歯車とのロック状態にガタが生じてしまうこととなる。【０００４】
そこで、この開示のリクライニング装置では、ポールを進退方向に対して斜めに２分割した構成として、内側に分割された内側ポールを外側に押し出す動きによって内側ポールと外側ポールとを互いの傾斜した当接面に沿って互いに離間する方向側に斜めに摺り動かして、両ガイド壁の間の隙間を詰めた状態にして歯車に噛合ロックさせられるようにしている。
【先行技術文献】
【特許文献】
【０００５】
【特許文献１】特許第３５９６０１０号明細書
【発明の概要】
【発明が解決しようとする課題】
【０００６】
しかし、上記開示の従来技術では、ポールが斜めに分割されて構成されているために、その噛合ロック時に外側ポールが歯車から受ける回転方向の負荷をガイド壁にうまくかけられない構成となっている。具体的には、外側ポールに歯車からの回転方向の負荷がかけられると、この負荷は、内側ポールに対して、互いの傾斜した当接面を介して内側に向かう方向に分解されてかけられるために、内側ポールを内方側から押圧するカムなどの作動部品に無理な負荷をかけてしまうようになっている。【０００７】
本発明は、上記した問題を解決するものとして創案されたものであって、本発明が解決しようとする課題は、ロック装置のロック時の強度を担保しつつ、ロック部品のガタ付きを抑えられるようにすることにある。
【課題を解決するための手段】
【０００８】
上記課題を解決するために、本発明のロック装置は次の手段をとる。
先ず、第１の発明は、互いに相対運動する関係とされた第１の部材と第２の部材との間の相対運動を歯の噛み合いにより規制した状態にして保持することのできるロック装置であって、ポールと押カムと被係合歯とを有する。ポールは、第１の部材に対して特定の直線方向に進退運動可能となるようにガイドされて設けられている。押カムは、ポールを第１の部材に対して進行方向に押し動かすように構成されている。被係合歯は、第２の部材に形成されており、押カムにより進行方向に押し動かされたポールの係合歯と噛合する。ポールは、第１の部材に形成された立壁状のガイド壁によりその進退移動方向に対する両サイド部が当てがわれてガイドされている。このポールは、押カムによって進行方向に押し動かされた際に互いに相反するサイド方向に押し離されてそれぞれのサイド方向に位置するガイド壁に押し当てられるように互いに斜め当接する二つの分割ポールに分割されて構成されている。ポールを二つの分割ポールに分割する分割線は、二つの分割ポールを互いに斜め当接させるようにこれらをポールの進行移動方向に対して斜めに面当接させる傾斜面と、この傾斜面よりも二つの分割ポールをポールの進行移動方向に対して垂直な方向に面当接させる垂直面と、をそれぞれ形成するように設定されている。【０００９】
この第１の発明によれば、ポールは、押カムによって進行方向に押し動かされることにより、各分割ポールが互いの傾斜面同士が当接する斜め当接構造によって互いに相反するサイド方向に押し動かされて、各側のガイド壁に押し当てられた状態として、その係合歯が第２の部材に形成された被係合歯に噛み合わされた状態となる。これにより、ポールは、その両サイド部が両ガイド壁にそれぞれ押し付けられて第１の部材に対してサイド方向にガタ付きのない状態とされて、被係合歯に噛み合わされて保持された状態となる。この噛合状態では、ポールに第２の部材が第１の部材に対して回転方向に移動しようとする負荷がかけられても、この負荷は、ポールのサイド方向に面を向けている各分割ポールの垂直面同士の当接構造を介して、その負荷のかけられた方向側に位置するガイド壁によって比較的真っ直ぐに受け止められることとなる。これにより、ポールを進行方向に押圧する押カムにかかる負荷を低減することができるため、上記のようなガタ付きを抑えるための斜め当接構造を設けても、ポールのロック強度を担保することができる。【００１０】
次に、第２の発明は、上述した第１の発明において、ポールを二つの分割ポールに分割する分割線が、ポールの進行方向の先端側となる外周面をサイド方向に分断する縦割り状に設定されているものである。【００１１】
この第２の発明によれば、分割線がポールの外周面をサイド方向に分断する縦割り状に設定されていることにより、外周面を分断しない斜め割状に設定されているものと比べると、傾斜面の傾斜角（圧力角）を大きくとることができると共に、垂直面の長さを長くとることができる。
【図面の簡単な説明】
【００１２】
【図１】実施例１のリクライニング装置の構成を表した分解斜視図である。
【図２】車両用シートの全体斜視図である。
【図３】ラチェットとバックフレームとの連結構造を表した斜視図である。
【図４】ガイドとクッションフレームとの連結構造を表した斜視図である。
【図５】リクライニング装置の内部構造を表した図４のV-V線断面図である。
【図６】リクライニング装置のロック状態を表した図５のVI-VI線断面図である。
【図７】リクライニング装置のアンロック状態を表した断面図である。
【図８】実施例２のリクライニング装置のロック状態を表した断面図である。
【図９】実施例３のリクライニング装置の構成を表した分解斜視図である。
【図１０】リクライニング装置のロック状態を表した断面図である。
【発明を実施するための形態】
【００１３】
以下に、本発明を実施するための形態について、図面を用いて説明する。以下の実施例では、本発明のロック装置が、車両用シートのシートバックとシートクッションとを連結するリクライニング装置として適用されたものとなっている。
【実施例１】
【００１４】
始めに、実施例１のリクライニング装置４（ロック装置）の構成について、図１〜図７を用いて説明する。ここで、図２に示すように、本実施例のリクライニング装置４は、車両用シート１の左右両側部に設けられており、シートバック２をシートクッション３に対して背凭れ角度調整可能な状態に連結している。具体的には、各リクライニング装置４は、シートバック２の左右両サイドの下端部とシートクッション３の左右両サイドの後端部とをそれぞれ回転可能な状態に連結しており、シートバック２を回転止めすることのできるロック機能を備えている。【００１５】
上記各リクライニング装置４は、常時は附勢によってシートバック２の回転をロックして、シートバック２の背凭れ角度を固定した状態に保持している。そして、各リクライニング装置４は、シートクッション３のアウター側部に設けられた操作レバー５の引き上げ操作が行われることにより、それらのロック状態が一斉に解除操作される。ここで、各リクライニング装置４の中心部には、各リクライニング装置４のロック・アンロックの切り換え操作を行う操作軸４ｃが挿通されている。【００１６】
これら操作軸４ｃは、互いが連結ロッド４ｒによって一体的に連結されており、その一方側の操作軸４ｃに連結された操作レバー５が引き上げ操作されることにより、互いが一体的となって軸回転操作されて、各リクライニング装置４のロック状態を解除するようになっている。そして、各操作軸４ｃは、操作レバー５の引き上げ操作が解除されることにより、各リクライニング装置４を附勢によってロック状態に戻すようになっている。【００１７】
ここで、シートバック２は、常時はシートクッション３との間に掛着された図示しない附勢ばねの附勢力によって、前倒れ回転する方向に附勢されている。これにより、シートバック２は、車両用シート１に人が座っていない状態で、操作レバー５の引き上げ操作を行って、各リクライニング装置４のロック状態を解除することにより、附勢によって前倒れ回転して、シートクッション３の上面部に畳み込まれるようになっている。【００１８】
ここで、各リクライニング装置４は、通常、シートバック２が背凭れとして使用される角度領域（ロックゾーン）にある時には、操作レバー５の引き上げ操作をやめることにより、附勢によってロック状態に戻されるようになっている。しかし、各リクライニング装置４は、シートバック２が背凭れとして使用されない前傾姿勢となる角度領域（フリーゾーン）にある時には、操作レバー５の引き上げ操作をやめても、ロック状態には戻されないようになっている。【００１９】
したがって、シートバック２をシートクッション３の上面部に倒し込む操作の際には、操作レバー５の引き上げ操作を行って、各リクライニング装置４のロック状態を解除して、シートバック２がロックゾーンを越える位置まで前に傾いたら、あとは操作レバー５から手を離しても、シートバック２はシートクッション３の上面部に畳み込まれる位置まで自然と前倒れしていくようになっている。【００２０】
以下、上記各リクライニング装置４の具体的な構成について詳しく説明していく。なお、各リクライニング装置４は、互いに左右対称の形に組まれているが、実質的には同じ構成となっている。したがって、以下では、これらを代表して、図２の紙面向かって右側に示されているアウター側部に設けられたリクライニング装置４の構成についてのみ説明することとする。【００２１】
このリクライニング装置４は、図１に示すように、円盤形状のラチェット１０及びガイド２０と、これらの間に円周方向に並べられて配置される３つのポール３０Ａ，３０Ｂと、これらポール３０Ａ，３０Ｂを半径方向の内外方に移動操作する回転カム４０と、回転カム４０を回転操作するヒンジカム５０と、ヒンジカム５０を一の回転方向に附勢する渦巻きばね６０と、ラチェット１０とガイド２０とを板合わせ方向（軸線方向）に組み付けた状態に保持する外周リング７０とが一つに組み付けられて構成されている。ここで、ラチェット１０が本発明の第２の部材に相当し、ガイド２０が本発明の第１の部材に相当し、回転カム４０が本発明の押カムに相当する。【００２２】
上記したラチェット１０は、詳しくは、その円盤部１１の外周部に、ガイド２０への組み付け方向となる板厚方向（軸線方向）に円筒状に突出する円筒部１２が形成されている。この円筒部１２は、ラチェット１０が板厚方向に半抜き加工されて形成されており、その内周面には、内歯の形成された内周歯面１２ａと、内歯のない円弧状に滑らかに湾曲した乗上げ面１２ｂとが形成されている。ここで、内周歯面１２ａが本発明の被係合歯に相当する。【００２３】
上記乗上げ面１２ｂは、円筒部１２の内周面上の円周方向の１箇所の位置に形成されており、その内周面が内周歯面１２ａの歯先よりも半径方向の内方側に突出した湾曲面とされて形成されている。そして、上記円盤部１１の中心部には、上述した操作軸４ｃを軸線方向に挿通させられるようにする軸孔１４が貫通形成されている。上記構成のラチェット１０は、図３に示すように、その円盤部１１の外側の盤面がシートバック２の骨格を成す長板状のバックフレーム２ｆの板面に一体的に接合されて固定されている。【００２４】
ここで、ラチェット１０の円盤部１１には、その外側の盤面から円筒状に突出する５つのダボ１３ａと、Ｄ字状に一部切り欠かれた円筒型形状に突出する１つのＤダボ１３ｂとが形成されている。これらダボ１３ａやＤダボ１３ｂは、円盤部１１の同一円周上の位置に互いに等間隔に並んで配置形成されている。これらダボ１３ａやＤダボ１３ｂは、円筒部１２よりも内周側ではあるが、比較的外周側に近い位置に配置形成されている。【００２５】
一方、バックフレーム２ｆには、上述した各ダボ１３ａやＤダボ１３ｂを軸線方向に受け入れて嵌合させることのできる５つのダボ孔２ａと１つのＤダボ孔２ｂとが板厚方向に貫通して形成されている。これにより、上記ラチェット１０は、各ダボ１３ａやＤダボ１３ｂをバックフレーム２ｆのダボ孔２ａやＤダボ孔２ｂ内にそれぞれ嵌合させて、各嵌合部を溶着して接合することにより、バックフレーム２ｆに対して強固に一体的に連結されている（図５参照）。ここで、バックフレーム２ｆには、上述した操作軸４ｃを軸線方向に挿通させることのできる貫通孔２ｃが板厚方向に貫通して形成されている。【００２６】
ところで、図６に示すように、上記したラチェット１０は、その乗上げ面１２ｂがいずれのポール３０Ａ，３０Ｂとも干渉しない円周方向の配置状態となっているときには、各ポール３０Ａ，３０Ｂが半径方向の外方側に移動操作されることによって、これらの外周歯面３０Ａａ，３０Ｂａを内周歯面１２ａに噛合させられるようになっている。このように、乗上げ面１２ｂと各ポール３０Ａ，３０Ｂとの円周方向の配置が重ならない関係となるシートバック２の回転角度領域が、各ポール３０Ａ，３０Ｂをラチェット１０に対して噛合させることのできるロックゾーンとして設定される。【００２７】
しかし、乗上げ面１２ｂは、各ポール３０Ａ，３０Ｂと円周方向の配置が重なった状態となることにより、いずれかのポール３０Ａ，３０Ｂが半径方向の外方側に移動しようとする動きをその内周面上に乗り上げさせて規制して、後述する回転カム４０の回転を係止させて、各ポール３０Ａ，３０Ｂがラチェット１０の内周歯面１２ａと噛合しようとする動きを阻止するようになっている。このように、乗上げ面１２ｂと各ポール３０Ａ，３０Ｂとの円周方向の配置が重なるシートバック２の回転角度領域が、各ポール３０Ａ，３０Ｂとラチェット１０の内周歯面１２ａとの噛合が阻止されてラチェット１０とガイド２０とが互いに回転フリーな状態に保たれるフリーゾーンとして設定される。【００２８】
次に、図１に戻って、ガイド２０の構成について説明する。ガイド２０は、上述したラチェット１０よりもひとまわり大きな外径の円盤形状に形成されており、その円盤部２１の外周部には、ラチェット１０への組み付け方向となる板厚方向（軸線方向）に円筒状に突出する円筒部２２が形成されている。この円筒部２２は、ガイド２０が板厚方向に半抜き加工されて形成されている。【００２９】
上記したガイド２０の円筒部２２は、その内径がラチェット１０の円筒部１２の外径よりも僅かに大きくなっている。これにより、ガイド２０の円筒部２２は、図５に示すように、その円筒内部にラチェット１０の円筒部１２が組み付けられることにより、ラチェット１０の円筒部１２と互いに内外に緩やかに嵌合し合った状態となって互いに相対回転可能に軸支し合った状態となって組み付けられるようになっている。【００３０】
上記したガイド２０は、その円盤部２１の中心部に、上述した操作軸４ｃを軸線方向に挿通させることのできる軸孔２５が貫通形成されている。そして、ガイド２０は、図４に示すように、その円盤部２１の外側の盤面がシートクッション３の骨格を成す板状のクッションフレーム３ｆの板面に一体的に接合されて固定されている。【００３１】
ここで、ガイド２０の円盤部２１には、その外側の盤面から円筒状に突出する３つのダボ２４ａと、一部にくびれを有する形に突出する１つのばね掛部２４ｂとが形成されている。ここで、ばね掛部２４ｂは、後述する渦巻きばね６０の外端６２を掛着させるものである。これらダボ２４ａやばね掛部２４ｂは、円盤部２１の同一円周上の位置に互いに等間隔に並んで配置形成されている。これらダボ２４ａやばね掛部２４ｂは、円筒部２２よりも内周側ではあるが、比較的外周側に近い位置に配置形成されている。【００３２】
一方、クッションフレーム３ｆには、上述した各ダボ２４ａやばね掛部２４ｂを軸線方向に受け入れて嵌合させることのできる３つのダボ孔３ａと１つの通し孔３ｂとが板厚方向に貫通して形成されている。これにより、上記したガイド２０は、各ダボ２４ａやばね掛部２４ｂをクッションフレーム３ｆのダボ孔３ａや通し孔３ｂ内にそれぞれ嵌合させて、各嵌合部を溶着して接合することにより、クッションフレーム３ｆに対して強固に一体的に連結されている（図５参照）。ここで、クッションフレーム３ｆには、上述した操作軸４ｃと後述する渦巻きばね６０とを軸線方向に受け入れられるようにする大孔３ｃが板厚方向に貫通して形成されている。上述した通し孔３ｂは、上記大孔３ｃに連通して形成されている。【００３３】
ところで、図１に戻って、上記ガイド２０の円盤部２１には、その内側の盤面上に板厚方向にＸ字状に凹むガイド溝２３が形成されている。このガイド溝２３は、円盤部２１が板厚方向に半抜き加工されて形成されており、その図示上側と左右両側に形成されている３つの溝部が、上述した３つの各ポール３０Ａ，３０Ｂをそれぞれスライド可能な状態にセットすることのできるポール収容溝２３ａとして形成されている。また、Ｘ字状のガイド溝２３の中心部に位置する溝部は、後述する回転カム４０を回転可能な状態にセットすることのできるカム収容溝２３ｂとして形成されている。各ポール収容溝２３ａは、図６に示すように、各溝の円周方向の左右両サイドに立ち壁となって形成されるガイド壁２１ａ〜２１ｄにより、各ポール３０Ａ，３０Ｂをそれらの溝形状に沿ってガイド２０に対して半径方向の内外方（図示上下方向：本発明の特定の直線方向に相当する。）にのみ移動可能となるようにガイドするようになっている。【００３４】
次に、図１に戻って、３つのポール３０Ａ，３０Ｂの構成について説明する。これらポール３０Ａ，３０Ｂは、そのうちの１つ（ポール３０Ｂ）が他の２つ（ポール３０Ａ）とは異なる形に形成されているが、それぞれ、前述したガイド２０に形成された各ポール収容溝２３ａ内にセットされて、ガイド２０に対してそれぞれ半径方向の内外方側にのみ移動可能となるようにガイドされるという基本的構成は同じものとなっている。上記各ポール３０Ａ，３０Ｂの半径方向の外方側の外周面には、前述したラチェット１０の内周歯面１２ａと噛合可能に外歯を有した湾曲した外周歯面３０Ａａ，３０Ｂａが形成されている。【００３５】
上記各ポール３０Ａ，３０Ｂは、図６に示すように、後述する回転カム４０によって半径方向の内方側から外方側へそれぞれ押し出されることにより、それらの外周歯面３０Ａａ，３０Ｂａをラチェット１０の内周歯面１２ａに押し付けて噛み合わされるようになっている。そして、この噛合によって、各ポール３０Ａ，３０Ｂがラチェット１０と互いに円周方向に一体的な状態となって、これらポール３０Ａ，３０Ｂを介して、ラチェット１０とガイド２０とが互いに円周方向に一体的な状態にロックされて保持されるようになっている。【００３６】
すなわち、各ポール３０Ａ，３０Ｂは、前述したように、ガイド２０との関係においては、半径方向の内外方にしか移動できないように円周方向に支えられた状態となっているため、ラチェット１０と噛合して回転方向に一体的な状態となることにより、ガイド２０とラチェット１０との間の相対回転をロックした状態を形成するようになっている。これらラチェット１０とガイド２０との相対回転がロックされた状態は、各ポール３０Ａ，３０Ｂが回転カム４０の逆回転方向（図示時計回り方向）の回転によって半径方向の内方側に移動操作されて、ラチェット１０との噛合状態から外されることにより解除されるようになっている。【００３７】
ところで、図１に戻って、上記３つのポール３０Ａ，３０Ｂのうち、図示上方側に示されているポール３０Ｂは、その進退移動方向（半径方向）に対して縦割りされて、図示左右方向に２つの分割ポール３０Ｂ１，３０Ｂ２に分割されて構成されている。詳しくは、図６に示すように、上記ポール３０Ｂを２つの分割ポール３０Ｂ１，３０Ｂ２に分割する分割線は、これら２つの分割ポール３０Ｂ１，３０Ｂ２をポール３０Ｂの進行移動方向に対して回転方向（サイド方向）に斜めに面当接させる傾斜面３０Ｂ１ａ，３０Ｂ２ａと、各傾斜面３０Ｂ１ａ，３０Ｂ２ａに対してＶ字状の傾斜面を形成し、分割ポール３０Ｂ２によって分割ポール３０Ｂ１を上下方向（半径方向）に挟み込んだ状態を形成する挟持面３０Ｂ１ｃ，３０Ｂ２ｃと、これら２つの分割ポール３０Ｂ１，３０Ｂ２をポール３０Ｂの進行移動方向に対して垂直な方向に面当接させる垂直面３０Ｂ１ｂ，３０Ｂ２ｂと、を形成するように設定されている。【００３８】
上記分割ポール３０Ｂ１，３０Ｂ２のうち、図１の紙面向かって左側に示されている分割ポール３０Ｂ２は、もう一方側の分割ポール３０Ｂ１よりも円周方向の幅が大きく形成されており、その外周面には外周歯面３０Ｂａ（本発明の係合歯に相当する。）が形成されている。また、図１の紙面向かって右側の円周方向の幅が小さい方の分割ポール３０Ｂ１には、外周歯面は形成されていない。上記各分割ポール３０Ｂ１，３０Ｂ２には、後述する回転カム４０によって半径方向の内方側から外方側へ押し出し操作される脚部３２Ｂがそれぞれ形成されており、更に、分割ポール３０Ｂ２には、回転カム４０によって半径方向の内方側へ引き込み操作されるフック状の掛部３１Ｂが形成されている。【００３９】
上記各ポール３０Ａ，３０Ｂは、後述する回転カム４０が回転する動きによって、次のように移動操作される。すなわち、図６に示すように、各ポール３０Ａ，３０Ｂは、回転カム４０が後述する渦巻きばね６０（図１参照）の附勢力によって図７の状態から図示反時計回り方向に回転する動きに伴って、各ポール３０Ａ，３０Ｂの脚部３２Ａ，３２Ｂが回転カム４０の各肩部４２に乗り上がる格好で半径方向の外方側へと押し出され、それらの外周歯面３０Ａａ，３０Ｂａをラチェット１０の内周歯面１２ａに押し付けて噛合させた状態として、回転カム４０によってそれぞれ半径方向の内方側から支えられてラチェット１０のガイド２０に対する回転をロックした状態に保持される。【００４０】
このうち、図示上方側の２分割されたポール３０Ｂは、上述した回転カム４０の回転に伴って、図示左方側の分割ポール３０Ｂ１が回転カム４０の肩部４２に乗り上がって半径方向の外方側に押し出され、この分割ポール３０Ｂ１が押し出される動きによって図示右方側の分割ポール３０Ｂ２が半径方向の外方側へ押し出されるようになっている。詳しくは、図示右方側の分割ポール３０Ｂ２は、図示左方側の分割ポール３０Ｂ１が半径方向の外方側に押し出される動きによって、この分割ポール３０Ｂ１の傾斜面３０Ｂ１ａに対面している傾斜面３０Ｂ２ａが、分割ポール３０Ｂ１の傾斜面３０Ｂ１ａによって押圧されて、図示右方側に斜めに押し出されながら半径方向の外方側へ押し出されるようになっている。これにより、図示右方側の分割ポール３０Ｂ２は、同側のガイド壁２１ａに押し当てられながら、その外周歯面３０Ｂａをラチェット１０の内周歯面１２ａに押し付けて噛合させる位置まで半径方向の外方側へ押し出されるようになっている。【００４１】
また、図示左方側の分割ポール３０Ｂ１は、その回転カム４０によって半径方向の外方側に押し出される動きに伴って、上記した傾斜面３０Ｂ１ａ，３０Ｂ２ａ同士の面当接に伴う反力により、それ自体は図示左方側に斜めに押し出されて同側のガイド壁２１ｂに押し当てられながら、半径方向の外方側へ押し出されるようになっている。そして、図示左方側の分割ポール３０Ｂ１は、図示右方側の分割ポール３０Ｂ２がラチェット１０と噛合する位置まで押し出されたところで、この分割ポール３０Ｂ２の傾斜面３０Ｂ２ａとガイド壁２１ｂとの間に挟み込まれた状態となって保持される。これにより、両分割ポール３０Ｂ１，３０Ｂ２は、それぞれ、互いに相反する回転方向に押圧されて両側のガイド壁２１ａ，２１ｂに押し当てられた状態として、両ガイド壁２１ａ，２１ｂの間で回転方向（サイド方向）にガタ付かないように保持されて、ラチェット１０とガイド２０との間の相対回転をガタ付きのない状態にしてロックできるようになっている。すなわち、上記ポール３０Ｂを進退方向に滑らかにスライドさせられるように設定されたガイド壁２１ａとガイド壁２１ｂとの間の隙間を詰めた状態として、ポール３０Ｂをラチェット１０の内周歯面１２ａに噛合させられるようになっている。【００４２】
ところで、図示右方側の分割ポール３０Ｂ２は、上述したロック状態となるに際しては、常に、その脚部３２Ｂと回転カム４０の肩部４２との間に僅かな隙間を有した状態として、図示左方側の分割ポール３０Ｂ１が半径方向の外方側に押し出される動きによって半径方向の外方側に押し出されるようになっている。これにより、図示右方側の分割ポール３０Ｂ２が、図示左方側の分割ポール３０Ｂ１によって回転方向に押圧される前に先行して半径方向の外方側に押し出されてラチェット１０の内周歯面１２ａと噛合してしまう事態が起こらないようになっており、図示右方側の分割ポール３０Ｂ２を確実にガイド壁２１ａに押し当てた状態にしてラチェット１０の内周歯面１２ａに噛合させられるようになっている。【００４３】
上記各ポール３０Ａ，３０Ｂが回転カム４０の回転によってラチェット１０の内周歯面１２ａに噛合したロック状態では、それらの各脚部３２Ａ，３２Ｂの内周側に回転カム４０の各肩部４２が位置して、各脚部３２Ａ，３２Ｂが回転カム４０によって半径方向の内方側から支えられた状態となっている。これにより、各ポール３０Ａ，３０Ｂは、上記したロック状態時に、車両衝突が発生するなどしてラチェット１０とガイド２０との間に強制的な相対回転を伴わせるような大荷重が入力されて、各ポール３０Ａ，３０Ｂがラチェット１０の内周歯面１２ａとの噛合から外される半径方向の内方側に向けての押圧力を受けても、回転カム４０によってそれぞれ内方側から支えられることで、ラチェット１０との噛合状態から外れないように保持されるようになっている。【００４４】
また、上記２分割されたポール３０Ｂは、各分割ポール３０Ｂ１，３０Ｂ２に分割する分割線が、前述したように各分割ポール３０Ｂ１，３０Ｂ２を互いに回転方向に斜めに面当接させる傾斜面３０Ｂ１ａ，３０Ｂ２ａと、これら傾斜面３０Ｂ１ａ，３０Ｂ２ａとＶ字状の傾斜面を形成する挟持面３０Ｂ１ｃ，３０Ｂ２ｃと、各分割ポール３０Ｂ１，３０Ｂ２を進退移動させる方向（半径方向）に垂直な方向に真っ直ぐに面当接させる垂直面３０Ｂ１ｂ，３０Ｂ２ｂとを形成するように設定されていることにより、上記大荷重を受けた時にリクライニング装置４に高いロック強度を発揮させられる構成となっている。【００４５】
すなわち、上述したラチェット１０とガイド２０との間に強制的な相対回転を伴わせるような大荷重が入力された場合、ラチェット１０と噛合状態となっている各ポール３０Ａ，３０Ｂには、ラチェット１０と一体的となってガイド２０に対して回転しようとする力がかけられる。このうち、両ガイド壁２１ａ，２１ｂの間に隙間なく支えられた状態となっているポール３０Ｂは、図６に示すように、例えばラチェット１０がガイド２０に対して反時計回り方向に強制的に回転変位する力を受けた場合には、ラチェット１０と噛合した状態となっている図示右方側の分割ポール３０Ｂ２が図示左方側の分割ポール３０Ｂ１を押圧して、同左方側の分割ポール３０Ｂ１を図示左方側のガイド壁２１ｂに押し当ててガイド壁２１ｂに支持させた状態とすることでラチェット１０のガイド２０に対する回転移動を阻止する。【００４６】
この際、図示右方側の分割ポール３０Ｂ２から図示左方側の分割ポール３０Ｂ１にかけられる回転方向の力は、Ｖ字状に挟み込む格好で回転方向に面当接する傾斜面３０Ｂ１ａ，３０Ｂ２ａ同士の当接と挟持面３０Ｂ１ｃ，３０Ｂ２ｃ同士の当接とによって、図示左方側の分割ポール３０Ｂ１を半径方向に移動させないように面当接させる挟持構造と、両者の垂直面３０Ｂ１ｂ，３０Ｂ２ｂ同士の当接によって、入力された回転方向の力を回転方向に真っ直ぐに伝達させる真っ直ぐな当接面構造とによって、回転方向に力を逃がさないように真っ直ぐに近い状態でかけられるようになっている。これにより、上記ラチェット１０からポール３０Ｂにかけられる力を、回転カム４０等の作動部品にばかりかけるのではなく、各作動部品を支持する高い構造強度をもって形成されたガイド２０にも強く支えさせた状態とすることができ、ポール３０Ｂをラチェット１０との噛合状態から外れにくくなるようにして、リクライニング装置４に高いロック強度を発揮させられるようになっている。【００４７】
また、ポール３０Ｂは、ラチェット１０がガイド２０に対して時計回り方向に強制的に回転変位する力を受けた場合には、ラチェット１０と噛合した状態となっている図示右方側の分割ポール３０Ｂ２が図示右方側のガイド壁２１ａに押し当てられてガイド壁２１ａに支えられた状態となることで、ラチェット１０のガイド２０に対する回転移動を阻止する。上記ポール３０Ｂは、上述したように両分割ポール３０Ｂ１，３０Ｂ２が互いに回転方向に真っ直ぐに力を伝達させやすい当接構造となっていることにより、両分割ポール３０Ｂ１，３０Ｂ２をガイド２０に組み付けてセットする際に、両分割ポール３０Ｂ１，３０Ｂ２を指で挟み込むように把持することにより、これらを簡単にひとまとめにくっつけた状態にして持ち上げることができ、これらをひとまとめにして簡単にガイド２０に組み付けられるようになっている。【００４８】
ところで、上記各ポール３０Ａ，３０Ｂのラチェット１０の内周歯面１２ａに対する噛合状態は、図７に示すように、回転カム４０が図６の状態から図示時計回り方向に回転操作される動きに伴って、各ポール３０Ａ，３０Ｂの内周側部に形成されたフック状の各掛部３１Ａ，３１Ｂが、回転カム４０の外周部に形成された各フック４４に引掛けられて、半径方向の内方側へと引き込まれることにより外されるようになっている。これにより、ラチェット１０とガイド２０との間の相対回転のロック状態が解除される。【００４９】
このうち、図示上方側の２分割されたポール３０Ｂは、上述した回転カム４０の回転に伴って、図示右方側の分割ポール３０Ｂ２が回転カム４０のフック４４により引き込まれる動きによって、図示左方側の分割ポール３０Ｂ１が図示右方側の分割ポール３０Ｂ２によって半径方向の内方側に引き込まれて図示右方側の分割ポール３０Ｂ２と共に半径方向の内方側に引き込まれるようになっている。詳しくは、図示左方側の分割ポール３０Ｂ１は、図示右方側の分割ポール３０Ｂ２が半径方向の内方側に引き込まれる動きによって、この分割ポール３０Ｂ２の傾斜面３０Ｂ２ａに対面している傾斜面３０Ｂ１ａが、分割ポール３０Ｂ２の傾斜面３０Ｂ２ａによって半径方向の内方側に押圧されて、分割ポール３０Ｂ２と共に内方側に引き込まれるようになっている。【００５０】
次に、図１に戻って、回転カム４０の構成について説明する。回転カム４０は、円板形状に形成された本体部の外周部に、一方向への回転によって各ポール３０Ａ，３０Ｂを半径方向の外方側に押圧する肩部４２と、他方向への回転によって各ポール３０Ａ，３０Ｂを半径方向の内方側に引き込むフック４４とが形成された構成となっている。上記した各肩部４２は、図６に示すように、回転カム４０が後述する渦巻きばね６０（図１参照）の附勢力によって図示反時計回り方向に回転する動きに伴って、その突出した形状部に各ポール３０Ａ，３０Ｂの脚部３２Ａ，３２Ｂをそれぞれ乗り上げさせて、各ポール３０Ａ，３０Ｂを半径方向の外方側へと押し出して各ポール３０Ａ，３０Ｂをラチェット１０の内周歯面１２ａにそれぞれ押し付けて噛合させた状態に保持するようになっている。また、各フック４４は、図７に示すように、回転カム４０が上記したばね附勢力に抗して図６の状態から図示時計回り方向に回転操作されることにより、各ポール３０Ａ，３０Ｂの内周部に形成された各掛部３１Ａ，３１Ｂにそれぞれ引っ掛けられて、各ポール３０Ａ，３０Ｂを半径方向の内方側へと引き込んでラチェット１０との噛合状態から外すようになっている。ここで、上記回転カム４０の各肩部４２の脇には、各ポール３０Ａ，３０Ｂの脚部３２Ａ，３２Ｂが半径方向の内方側に引き込まれる動きを受け入れることのできる溝部４３が形成されている。【００５１】
ところで、図６に示すように、前述した３つの各ポール３０Ａ，３０Ｂは、ガイド２０に対し、互いに円周方向に９０度ずつの間隔を空けて配設されており、これにより、各ポール３０Ａ，３０Ｂ間の円周方向の配置間領域は、図示左方側のポール３０Ａと右方側のポール３０Ａとの間の図示下方側の円周方向の配置間領域だけが他の配置間領域と比べて大幅に広く確保されている。そして、上述したラチェット１０は、その乗上げ面１２ｂが上述した広い円周方向の配置間領域内を移動するようにガイド２０に対して組み付けられていることにより、乗上げ面１２ｂと各ポール３０Ａ，３０Ｂとの円周方向の配置が重ならない前述したロックゾーンの回転領域が広くとられている。【００５２】
しかし、上記各ポール３０Ａ，３０Ｂの配置設定に伴い、各ポール３０Ａ，３０Ｂを回転カム４０の回転によってラチェット１０の内周歯面１２ａに押し付けて噛合させた状態では、回転カム４０には、各ポール３０Ａ，３０Ｂを半径方向の外方側に押し付けることに伴う反力が不均衡に作用し、回転カム４０には、上記反力により各ポール３０Ａ，３０Ｂ間の円周方向の配置間領域が広く空けられた図示下方側に向かって押圧力がかけられる。しかし、回転カム４０は、上記各ポール３０Ａ，３０Ｂをラチェット１０の内周歯面１２ａに押し付けた状態時には、上記円周方向の配置間領域が広く空けられた図示下方側領域に配置されている２つのガイド壁２１ｃ，２１ｄの湾曲状に凹み形成された支持面ｃａ，ｄａによりその外周面（被支持面４５）が当てがわれて外周側から支持されるようになっている。これにより、回転カム４０は、上記各ポール３０Ａ，３０Ｂから不均衡な反力作用を受けても支持面ｃａ，ｄａにより均衡な状態に支持された状態として、各ポール３０Ａ，３０Ｂにラチェット１０の内周歯面１２ａへ押し付ける力を強くかけられるようにして、各ポール３０Ａ，３０Ｂに高いロック強度を発揮させられるようになっている。【００５３】
図１に戻って、上述した回転カム４０を図示時計回り方向や反時計回り方向に回転させる操作は、回転カム４０の中心部に貫通形成されたカム孔４１内に組み付けられたヒンジカム５０の回転操作により行われる。このヒンジカム５０は、その円筒状に形成された本体部がガイド２０に形成された軸孔２５内に挿通されてガイド２０に対して回転可能に軸支されており、この本体部の円筒内に操作軸４ｃ（図２参照）が挿通されて、操作軸４ｃと一体的となって軸回転できるように連結されている。【００５４】
そして、上記したヒンジカム５０の軸方向の一端部には、渦巻きばね６０の内端６１を掛着させるための角筒状のばね掛部５１が形成されており、他端部には、回転カム４０のカム孔４１に嵌合して、回転カム４０をその回転移動方向へと押し動かす操作突起５２が突出して形成されている。上記した渦巻きばね６０は、図４に示すように、その外端６２が前述したガイド２０の外側の盤面に突出形成されたばね掛部２４ｂに掛着されており、常時はその附勢力によって、ヒンジカム５０を図６に示す反時計回り方向に回転附勢するようになっている。【００５５】
これにより、ヒンジカム５０は、常時は上記渦巻きばね６０の附勢力によって、回転カム４０を図示反時計回り方向に回転操作した状態に保持して、各ポール３０Ａ，３０Ｂをラチェット１０に押し付けて噛合させたロック状態に保持するようになっている。上記ヒンジカム５０は、図７に示すように、操作レバー５が引き上げ操作（図２参照）されることにより、上記附勢力に抗して図示時計回り方向に回転操作されて回転カム４０を同方向に回転させる。これにより、各ポール３０Ａ，３０Ｂが回転カム４０により操作されてラチェット１０との噛合状態から外されて、リクライニング装置４の回転ロック状態が解除される。【００５６】
続いて、図１に戻って、外周リング７０の構成について説明する。外周リング７０は、薄い鋼板がリング状に打ち抜かれて形成されており、更にその円板部が板厚方向（軸線方向）に半抜き加工されることによって、その内周側の面部から、軸線方向に面を向けたリング状の第１座面部７１と第２座面部７２とが順に半径方向の外方側に向かって段差状に連続して形作られた段付き円筒型形状に形成されている。【００５７】
そして、外周リング７０の外周側の面部は、軸線方向に真っ直ぐに延出した円筒型形状に形成されており、外周リング７０の円筒内部にラチェット１０とガイド２０とが組み付けられた状態で、半径方向の内方側に折り曲げられてかしめられる折曲げ面部７３として形成されている。ここで、図５に示すように、上記した外周リング７０の第１座面部７１は、外周リング７０の円筒内部にラチェット１０が組み付けられることにより、ラチェット１０の円筒部１２の外側の盤面に軸線方向に当てがわれるようになっている。【００５８】
また、外周リング７０の第２座面部７２は、外周リング７０の円筒内部にガイド２０が組み付けられることにより、ガイド２０の円筒部２２の内側の盤面に軸線方向に当てがわれるようになっている。折曲げ面部７３は、上記のように外周リング７０の円筒内部にラチェット１０とガイド２０とが組み付けられることにより、ガイド２０の円筒部２２を外周側から囲い込んだ状態となってガイド２０の外側の盤面側に張り出すようになっている。【００５９】
そして、折曲げ面部７３は、この状態から、半径方向の内方側に折り曲げられてかしめられることにより、上記した第２座面部７２とによってガイド２０の円筒部２２を軸線方向に挟み込んだ状態となって、ガイド２０と一体的に結合された状態となって組み付けられるようになっている。そして、この組み付けにより、ラチェット１０とガイド２０とが、外周リング７０の第１座面部７１と第２座面部７２と折曲げ面部７３とによって、互いに軸線方向に外れ止めされた状態となって保持されるようになっている。【００６０】
詳しくは、上記した外周リング７０は、上記した折曲げ面部７３のかしめによって、ガイド２０の円筒部２２を第２座面部７２と折曲げ面部７３とによって挟み込んだ状態としてガイド２０の円筒部２２に一体的に結合されている。これにより、第１座面部７１がラチェット１０の円筒部１２の外側の盤面を軸線方向に当てがう部位に軸線方向に一定の隙間が確保された状態として、ラチェット１０がガイド２０に対して相対回転する動きに摺動抵抗が付与されにくいようになっている。【００６１】
ここで、図１に示すように、第１座面部７１には、その円周方向の複数箇所に、軸線方向に点状に小さく突出する突部７１ａが形成されている。これら突部７１ａは、図５に示すように、第１座面部７１とラチェット１０の円筒部１２の外側の盤面との当たりを点接触にして、ラチェット１０のガイド２０に対する回転移動を円滑にするための機能部となっている。【００６２】
このように、本実施例のリクライニング装置４（ロック装置）によれば、２つの分割ポール３０Ｂ１，３０Ｂ２に分割されたポール３０Ｂは、回転カム４０によって進行方向に押し動かされることにより、各分割ポール３０Ｂ１，３０Ｂ２が互いの傾斜面３０Ｂ１ａ，３０Ｂ２ａ同士が当接する斜め当接構造によって互いに相反するサイド方向に押し動かされて、各側のガイド壁２１ａ，２１ｂに押し当てられた状態として、分割ポール３０Ｂ１の外周歯面３０Ｂａをラチェット１０の内周歯面１２ａに押し付けて噛合させた状態となる。これにより、ポール３０Ｂは、その両サイド部が両ガイド壁２１ａ，２１ｂにそれぞれ押し付けられてガイド２０に対して回転方向（サイド方向）にガタ付きのない状態とされて、内周歯面１２ａに噛合した状態に保持されることとなる。【００６３】
この噛合状態では、ポール３０Ｂにラチェット１０がガイド２０に対して回転方向に移動しようとする負荷がかけられても、この負荷は、ポール３０Ｂの回転方向（サイド方向）に面を向けている各分割ポール３０Ｂ１，３０Ｂ２の垂直面３０Ｂ１ｂ，３０Ｂ２ｂ同士の当接構造や、分割ポール３０Ｂ２を分割ポール３０Ｂ１に対してＶ字状に挟み込ませる格好で当接させる挟持構造を介して、その負荷のかけられた方向側に位置するガイド壁２１ｂによって比較的真っ直ぐに受け止められることとなる。これにより、ポール３０Ｂを進行方向に押圧する回転カム４０にかかる負荷を低減することができるため、上記のようなガタ付きを抑えるための斜め当接構造を設けても、ポール３０Ｂのロック強度を担保することができる。【００６４】
また、ポール３０Ｂの分割線がポール３０Ｂの外周面をサイド方向（回転方向）に分断する縦割り状に設定されていることにより、外周面を分断しない斜め割状に設定されているものと比べて、各傾斜面３０Ｂ１ａ，３０Ｂ２ａの傾斜角（圧力角）を大きくとることができると共に、各垂直面３０Ｂ１ｂ，３０Ｂ２ｂの長さを長くとることができる。また、分割される一方側の分割ポール３０Ｂ２には外周歯面３０Ｂａを設定し、他方側の分割ポール３０Ｂ１には外周歯面を設定しない構成としたことにより、外周歯面を設定しない方の分割ポール３０Ｂ１を簡単に形成することができると共に、分割ポール３０Ｂ１はラチェット１０の内周歯面１２ａと噛合しないことから、分割ポール３０Ｂ１の円周方向の幅を狭くして、外周歯面３０Ｂａを有するもう一方側の分割ポール３０Ｂ２の円周方向の幅を広くすることができる。したがって、この幅広に設定された分割ポール３０Ｂ２に広い外周歯面３０Ｂａを設定してロック強度を高めることができると共に、幅広となることで分割ポール３０Ｂ２が大型化されて、半径方向の操作移動時に分割ポール３０Ｂ２を傾かせにくくすることができる。
【実施例２】
【００６５】
続いて、実施例２のリクライニング装置４（ロック装置）の構成について、図８を用いて説明する。なお、本実施例では、実施例１で説明したリクライニング装置４（ロック装置）と実質的な構成及び作用が同じとなっている箇所については、これらと同一の符号を付して説明を省略し、異なる箇所について異なる符号を付して詳しく説明することとする。本実施例のリクライニング装置４は、図８に示すように、分割ポール３０Ｂ１にも外周歯面３０Ｂｂが形成されている。この分割ポール３０Ｂ１は、図示右方側の分割ポール３０Ｂ２が外周歯面３０Ｂａをラチェット１０の内周歯面１２ａに押し付けて噛合させた状態となる時には、その外周歯面３０Ｂｂをラチェット１０の内周歯面１２ａに浅くかけた状態として、内周歯面１２ａとの間に僅かな隙間を有した状態で係止されるようになっている。これにより、両分割ポール３０Ｂ１，３０Ｂ２がガイド壁２１ｂ，２１ａに向かってそれぞれ押動される動きが、一方側の分割ポール３０Ｂ２が内周歯面１２ａに先に噛合してしまって阻害されてしまうことがなく、両分割ポール３０Ｂ１，３０Ｂ２を両ガイド壁２１ａ，２１ｂに確実に押し当てた状態として、各外周歯面３０Ｂａ，３０Ｂｂをラチェット１０の内周歯面１２ａに噛合させられるようになっている。
【実施例３】
【００６６】
続いて、実施例３のリクライニング装置４（ロック装置）の構成について、図９〜図１０を用いて説明する。なお、本実施例では、実施例１で説明したリクライニング装置４（ロック装置）と実質的な構成及び作用が同じとなっている箇所については、これらと同一の符号を付して説明を省略し、異なる箇所について異なる符号を付して詳しく説明することとする。本実施例のリクライニング装置４は、図９〜図１０に示すように、ラチェット１０の内周歯面１２ａと噛合するポール３０Ａ，３０Ｂが、１つの分割されていないポール３０Ａと、１つの分割されたポール３０Ｂと、の計２つで構成されている。【００６７】
また、本実施例のリクライニング装置４は、上記２つのポール３０Ａ，３０Ｂを半径方向の内外方側に移動操作するものとして、実施例１で示した回転カム４０に代えて、スライドカム４０Ａが採用されている。ここで、スライドカム４０Ａが本発明の押カムに相当する。スライドカム４０Ａは、図１０に示すように、各ポール３０Ａ，３０Ｂをスライドガイドする各ガイド壁２１ａ〜２１ｄによって、各ポール３０Ａ，３０Ｂのスライド方向に対して垂直な方向にスライドガイドされている。このスライドカム４０Ａは、常時は、その中心部のカム孔４１Ａ内に組み付けられたヒンジカム５０が渦巻きばね６０の附勢力によって図示反時計回り方向に回転附勢されている力を受けて、図示左方側にスライド操作された状態として保持されている。【００６８】
このスライドにより、スライドカム４０Ａは、その図示上面部と下面部に形成された各肩部４２Ａに各ポール３０Ａ，３０Ｂの脚部３２Ａ，３２Ｂをそれぞれ乗り上げさせた状態として、各ポール３０Ａ，３０Ｂを半径方向の外方側に押し出してラチェット１０の内周歯面１２ａに押し付けた状態（ロック状態）となって保持されている。また、スライドカム４０Ａは、上記のロック状態から、ヒンジカム５０が図示時計回り方向に回転操作されることにより、その上面部と下面部に延出して形成された各フック４４Ａを各ポール３０Ａ，３０Ｂの掛部３１Ａ，３１Ｂにそれぞれ引掛けて、各ポール３０Ａ，３０Ｂを半径方向の内方側へと引き込んで、各ポール３０Ａ，３０Ｂをラチェット１０の内周歯面１２ａとの噛合状態から外す。上記各ポール３０Ａ，３０Ｂの脚部３２Ａ，３２Ｂは、上記スライドカム４０Ａのスライドに伴い、スライドカム４０Ａの各肩部４２Ａの隣りに形成された各溝部４３Ａ内へ受け入れられる。ここで、図９に示すように、本実施例のリクライニング装置４では、ガイド２０の外側の盤面上に、渦巻きばね６０の外端６２を掛着させるためのばね掛部２４ｃがピン状に突出した形に形成されており、ポール３０Ａが収容されるポール収容溝２３ａの裏面側となるガイド２０の外側の盤面上に、Ｄ字状に一部切り欠かれた円筒型形状に突出するＤダボ２４ｃ（ダボ２４ａと共にクッションフレーム３ｆに形成された孔に嵌合するもの）が形成されている。このように、スライドカム４０Ａによって２つのポール３０Ａ，３０Ｂを操作するタイプのリクライニング装置４にも、本発明の構成を適用することができる。【００６９】
以上、本発明の実施形態を３つの実施例を用いて説明したが、本発明は上記実施例のほか各種の形態で実施できるものである。例えば、上記各実施例では、ロック装置として、互いに相対回転するラチェット１０とガイド２０との間の相対回転を歯の噛み合いにより規制する構成を備えたリクライニング装置４を示したが、ロック装置は、上記リクライニング装置４の相対回転を規制するための用途に限定されず、互いに相対運動する関係とされた第１の部材と第２の部材との間の相対運動を歯の噛み合いにより規制した状態にして保持するための用途として種々の構造に適用することができるものである。【００７０】
また、上記実施例１，２では、ガイド２０に対して３つのポール３０Ａ，３０Ｂが配設され、実施例３では、ガイド２０に対して２つのポール３０Ａ，３０Ｂがそれぞれ配設された構成を例示したが、ポールの配設される個数は特に限定されるものではなく、いくつであってもよい。また、上記各実施例では、ポール３０Ｂを２つの分割ポール３０Ｂ１，３０Ｂ２に分割する分割線が、両分割ポール３０Ｂ１，３０Ｂ２が互いに斜め当接する傾斜面３０Ｂ１ａ，３０Ｂ２ａの方が垂直面３０Ｂ１ｂ，３０Ｂ２ｂ（３０Ｂ１ｃ，３０Ｂ２ｃ）よりも半径方向の外方側にくる形となるように設定されたものを例示したが、傾斜面が垂直面よりも半径方向の内方側にくる形に設定されたものであってもよい。
【図１】
0005609889.tif 000002
【図２】
0005609889.tif 000003
【図３】
0005609889.tif 000004
【図４】
0005609889.tif 000005
【図５】
0005609889.tif 000006
【図６】
0005609889.tif 000007
【図７】
0005609889.tif 000008
【図８】
0005609889.tif 000009
【図９】
0005609889.tif 000010
【図１０】
0005609889.tif 000011